(57)【要約】      （修正有）【課題】空気調和機用室内機において、機外に結露水が滴下するのを効果的に抑制する。【解決手段】室内機は、吹出口２５ｂを有するケース２０と、ケース２０内に設けられたドレンパン３０と、表面に生じさせた結露水をドレンパン３０内に導くための結露水案内板９０とを備える。結露水案内板９０は、吹出口２５ｂの下端ＬＤに対しケース２０の内側に設けられている。結露水案内板９０の上縁部は、吹出口２５ｂの下端ＬＤよりも高い位置にあり、結露水案内板９０の下縁部９０Ｄは、ドレンパン３０内に配置されている。【選択図】図５
2013139895.tif 000002
【特許請求の範囲】
【請求項１】
吹出口（２５ｂ）を有するケース（２０）と、
前記ケース（２０）内に設けられたドレンパン（３０）と、
表面に生じさせた結露水を前記ドレンパン（３０）内に導くための結露水案内板（９０）と、を備え、
前記結露水案内板（９０）は、前記吹出口（２５ｂ）の下端（ＬＤ）に対しケース（２０）の内側に設けられており、
前記結露水案内板（９０）の上縁部（９０Ｕ）は、吹出口（２５ｂ）の下端（ＬＤ）よりも高い位置にあり、前記結露水案内板（９０）の下縁部（９０Ｄ）は、前記ドレンパン（３０）内に配置されている空気調和機用室内機。
【請求項２】
前記結露水案内板（９０）における少なくとも上部が前方（Ｆ）に傾斜している、請求項１に記載の空気調和機用室内機。
【請求項３】
前記結露水案内板（９０）における両サイドの側縁部（９０Ｒ，９０Ｌ）は、ケース（２０）の内側面又はケース（２０）内に設けられた構造部材まで延びている、請求項１又は２に記載の空気調和機用室内機。 
【発明の詳細な説明】
【技術分野】
【０００１】
本発明は、空気調和機用室内機に関する。
【背景技術】
【０００２】
例えば特許文献１には、空気吹出口に設けられる風向き変更用の羽根において結露が生じるのを防止するための対策が施された一体型空気調和機が開示されている。この空気調和機では、室内ファンと上下変更羽根との間のエアガイダ側内面に上下変更羽根に直交する柱状の突起板が設けられている。この特許文献１には、突起板で偏向された気流が、風速の低下した部分に流されることにより高湿度の暖気の巻き込みが防止され、上下変更羽根に暖気が接触して結露することを防止できる、と記載されている。
【先行技術文献】
【特許文献】
【０００３】
【特許文献１】特開平６−１９３９０７号公報
【発明の概要】
【発明が解決しようとする課題】
【０００４】
しかしながら、特許文献１に開示されているような突起板をケース内の気流の経路に設けるだけでは、高湿度の暖気を吹出口から十分に遠ざけることができない場合もあり、空気調和機の機外に結露水が滴下することがある。
【０００５】
本発明の目的は、空気調和機用室内機において、機外に結露水が滴下するのを効果的に抑制することである。
【課題を解決するための手段】
【０００６】
本発明の空気調和機用室内機は、吹出口（２５ｂ）を有するケース（２０）と、前記ケース（２０）内に設けられたドレンパン（３０）と、表面に生じさせた結露水を前記ドレンパン（３０）内に導くための結露水案内板（９０）と、を備える。前記結露水案内板（９０）は、前記吹出口（２５ｂ）の下端（ＬＤ）に対しケース（２０）の内側に設けられている。前記結露水案内板（９０）の上縁部（９０Ｕ）は、吹出口（２５ｂ）の下端（ＬＤ）よりも高い位置にあり、前記結露水案内板（９０）の下縁部（９０Ｄ）は、前記ドレンパン（３０）内に配置されている。
【０００７】
この構成では、上縁部（９０Ｕ）が吹出口（２５ｂ）の下端（ＬＤ）よりも高い位置にある結露水案内板（９０）が吹出口（２５ｂ）の下端（ＬＤ）に対しケース（２０）の内側に設けられているので、吹出口（２５ｂ）の下部から吹き出される冷気は、結露水案内板（９０）の上縁部（９０Ｕ）の近傍を通過する際にこの上縁部（９０Ｕ）を冷却する一方で、吹出口（２５ｂ）の下端（ＬＤ）には直接当たりにくくなる。これにより、ケース（２０）に設けられた吹出口（２５ｂ）の下端（ＬＤ）及びこの下端（ＬＤ）を区画する壁部の表面において結露が生じるのを抑制できる。また、冷気によって冷却された結露水案内板（９０）の上縁部（９０Ｕ）付近（結露水案内板（９０）の上部）では、吹出口（２５ｂ）の近傍の暖気に晒されると結露が生じるが、生じた結露水は、結露水案内板（９０）の表面をつたって流下し、ドレンパン（３０）に導かれる。これにより、機外に結露水が滴下するのを効果的に抑制することができる。
【０００８】
前記空気調和機用室内機において、前記結露水案内板（９０）における少なくとも上部が前方（Ｆ）に傾斜している場合には、吹出口（２５ｂ）の下部から吹き出される気流の向きが下方に向くのを抑制できる。これにより、その気流が吹出口（２５ｂ）の下端（ＬＤ）にさらに当たりにくくなる。
【０００９】
前記空気調和機用室内機において、前記結露水案内板（９０）における両サイドの側縁部（９０Ｒ,９０Ｌ）は、ケース（２０）の内側面又はケース（２０）内に設けられた構造部材まで延びている場合には、結露水案内板（９０）における両サイドから気流が抜けてその気流が吹出口（２５ｂ）の下端に周り込むのを抑制できる。
【発明の効果】
【００１０】
本発明によれば、空気調和機用室内機において、機外に結露水が滴下するのを効果的に抑制することができる。
【図面の簡単な説明】
【００１１】
【図１】本発明の一実施形態に係る空気調和機用室内機を示す斜視図である。
【図２】図１に示す室内機の内部構造を示す斜視図である。
【図３】図２のIII-III線断面図である。
【図４】前記室内機における結露水案内板と空気吸込口の位置関係を説明するための前記室内機の正面図である。
【図５】図１における室内機をＶ−Ｖ線の方向に切断したときの断面図であり、前記結露水案内板とドレンパン、ケース、風向き調節板及び吸込口の位置関係を説明するためのものである。
【図６】前記結露水案内板の変形例１を示す断面図である。
【図７】前記結露水案内板の変形例２を示す断面図である。
【図８】前記結露水案内板の変形例３を示す断面図である。
【図９】参考例の室内機におけるドレンパン、ケース、風向き調節板及び吸込口の位置関係を説明するための断面図である。
【発明を実施するための形態】
【００１２】
以下、本発明の一実施形態に係る空気調和機用室内機１１について図面を参照して説明する。
【００１３】
＜室内機の全体構造＞
図１〜図４に示すように、この室内機１１は、送風機１３と、この送風機１３の両サイドに配置された一対の熱交換器１５，１５と、送風機１３及び熱交換器１５，１５の下方に配置されたドレンパン３０と、結露水案内板９０と、これらを収容するケース２０とを備えている。なお、以下の説明では、室内機１１の上方Ｕ、下方Ｄ、右方Ｒ、左方Ｌ、前方Ｆ及び後方Ｂを、図１及び図２において矢印で示す方向とする。
【００１４】
結露水案内板９０は、その表面の所望の領域に結露を生じさせ、生じた結露水をドレンパン３０内に導くことによって室内機１１の外に結露水が滴下するのを抑制するためのものである。結露水案内板９０を含む結露水案内構造については後述する。
【００１５】
ケース２０は、前後方向の厚みが薄く、上下方向の高さよりも左右方向の幅の方が大きな直方体形状を有している。この室内機１１は、回転軸Ａが前後方向に向いた姿勢で斜流送風機、遠心送風機などの送風機１３（本実施形態では斜流送風機）をケース２０内に配置することにより、クロスフローファンを用いる場合に比べて前後方向に薄型化されている。また、この室内機１１は、熱交換器１５を前後方向に対して傾斜させてケース２０内に配置することにより、前後方向に薄型化されている。また、この室内機１１は、送風機１３の両サイドに熱交換器１５を配置することにより、上下方向に小型化されている。このように本実施形態に係る室内機１１は、小型化された小容量の室内機である。この室内機１１は、小型化されているため、後述するように前板２５（前側下端部２９）に隣接する位置にもドレンパン３０が設けられている。
【００１６】
ケース２０は、底板２１、天板２２、右側板２３、左側板２４、前板２５及び背板２６を有する。前板２５は、吸込口開閉板２５１と、この吸込口開閉板２５１の両サイドに配置された一対の吹出口開閉板２５２，２５２とを含む。図１において、右側の吹出口開閉板２５２は、開いた状態を二点鎖線で示しており、左側の吹出口開閉板２５２は、閉じた状態を示している。
【００１７】
吸込口開閉板２５１は、送風機１３の前方Ｆに配置されており、前板２５の大半の領域を占める矩形状を有している。右側の吹出口開閉板２５２は、右側の熱交換器１５の前方Ｆに配置されており、上下方向に長い矩形状を有している。左側の吹出口開閉板２５２は、左側の熱交換器１５の前方Ｆに配置されており、上下方向に長い矩形状を有している。
【００１８】
図３に示すように、背板２６の右サイドには、右方Ｒにいくにつれて前方Ｆに位置するように傾斜した傾斜壁２６Ｒが設けられており、右側の熱交換器１５は、その側部が傾斜壁２６Ｒに隣接するように配置されている。背板２６の左サイドには、左方Ｌにいくにつれて前方Ｆに位置するように傾斜した傾斜壁２６Ｌが設けられており、左側の熱交換器１５は、その側部が傾斜壁２６Ｌに隣接するように配置されている。傾斜壁２６Ｒの外側にはコーナー枠２７が配置されている。
【００１９】
前板２５と送風機１３の間には、前後方向に円形に開口する吸込口２５aを有する図略のベルマウスが配置されている。ケース２０には、ケース２０内の空気を室内に吹き出すための一対の吹出口２５ｂが設けられている。一対の吹出口２５ｂは、正面視で吸込口２５aの右方Ｒと左方Ｌに設けられている。各吹出口２５ｂの下方には、前側下端壁２９が設けられている。各吹出口２５ｂ及び各前側下端壁２９は、対応する吹出口開閉板２５２の真後ろに位置している。
【００２０】
図１及び図４に示すように、右側の吹出口２５ｂには、複数の風向き調節板２が設けられている。本実施形態では、これらの風向き調節板２は、吹出口２５ｂの上端と下端との間にほぼ等間隔で上下方向に配列されている。各風向き調節板２は、上下方向の風向きを調節するためのものであり、左右方向に延びる板状部材である。これらの風向き調節板２は、図略のモータによって傾斜角度が調節される。左側の吹出口２５ｂにも同様の複数の風向き調節板２及びモータが設けられている。
【００２１】
吸込口開閉板２５１は、底板２１及び天板２２に対して前後方向に進退移動可能に図略の支持部材を介して底板２１、天板２２又はこれらの近傍に支持されている。吸込口開閉板２５１は、室内機１１の未使用時には、図１において実線で示すように吸込口２５aを閉じた閉状態にある。一方、室内機１１の使用時には、図１において二点鎖線で示すように吸込口開閉板２５１が前方Ｆに移動し、吸込口開閉板２５１の上縁部２５１a、下縁部２５１ｂ及び側縁部と、底板２１の前縁部２１a、天板２２の前縁部２２a及び吹出口開閉板２５２，２５２の側縁部との間に隙間が形成され、これらの隙間から空気がケース２０内に流入する。
【００２２】
右側の吹出口開閉板２５２は、その左縁部２５２aを中心に回動可能に底板２１の前縁部２１a及び天板２２の前縁部２２aに支持されている。室内機１１の未使用時には、吹出口２５ｂが吹出口開閉板２５２によって閉じられた状態となる一方で、室内機１１の使用時には、左縁部２５２aを中心に吹出口開閉板２５２が前方Ｆに回動し、吹出口開閉板２５２の右縁部２５２ｂと右側板２３の前縁部２３aとの間に隙間が形成され、この隙間からケース２０内の空気が室内に流出する。左側の吹出口開閉板２５２の動作もこれと同様である。吹出口開閉板２５２は、開度の変更によって吹出気流の左右方向の角度調整機能を果たす。
【００２３】
図２及び図３に示すように、本実施形態の送風機１３は、その回転軸Ａが前後方向に向く姿勢でケース２０内に配置された斜流送風機である。送風機１３は、羽根車５１とこの羽根車５１を回転させるモータ４９とを備えている。モータ４９は、ケース２０の背板２６の内面に固定されている。羽根車５１は、モータ４９の回転軸に固定されたハブ５３と、ベルマウス２８の後端が挿入された開口部を有するシュラウド５４と、このシュラウド５４とハブ５３との間に周方向に沿って配列された複数の羽根５５とを含む。
【００２４】
右側の熱交換器１５は、送風機１３の右方Ｒに配置され、左側の熱交換器１５は、送風機１３の左方Ｌに配置されている。各熱交換器１５は、送風機１３よりも空気の流れ方向の下流側に位置している。各熱交換器１５は、上下方向に長い直方体形状を有しており、下端部が後述するドレンパン３０内に位置し、上端部が天板２２に近接又は当接している。図３に示すように、右側の熱交換器１５は、前面部１５Ｆが後面部１５Ｂよりも左方Ｌに位置するように前後方向に対して傾斜して配置されている。同様に、左側の熱交換器１５は、前面部１５Ｆが後面部１５Ｂよりも右方Ｒに位置するように前後方向に対して傾斜して配置されている。
【００２５】
ドレンパン３０は、送風機１３及び一対の熱交換器１５の下方に配置されている。ドレンパン３０は、上部が開口し、水を収容する水収容空間３３を有している（図３参照）。この水収容空間３３は、右側の熱交換器１５と、左側の熱交換器１５とにまたがる範囲に設けられている。ドレンパン３０は、一対の熱交換器１５の下端部に対向する底部３０Ｄと、この底部３０Ｄの周縁から上方に起立する壁部とを有している。底部３０Ｄは、ケース２０の底板２１に対して平行な平板状の部位である。水収容空間３３は、底部３０Ｄと前記壁部とによって区画される空間である。
【００２６】
前記壁部は、底部３０Ｄの前縁から起立する前壁３０Ｆと、底部３０Ｄの後縁から起立する後壁３０Ｂと、底部３０Ｄの右縁から起立する右壁３０Ｒと、底部３０Ｄの左縁から起立する左壁３０Ｌとを含む。右壁３０Ｒは、右側の熱交換器１５よりも右方Ｒに位置しており、左壁３０Ｌは、左側の熱交換器１５よりも左方Ｌに位置している。
【００２７】
ドレンパン３０は、ドレンパン本体３１と、このドレンパン本体３１の外面のほぼ全体を覆う断熱材３２とを含む二層構造を有している。断熱材３２の前面はケース２０で覆われている（図５参照）。
【００２８】
図２及び図３に示すように、本実施形態の室内機１１は、送風機１３から各熱交換器１５までの空気流路とドレンパン３０の水収容空間３３とを仕切る仕切り部材４１をさらに備えている。仕切り部材４１は、ドレンパン３０の前壁３０Ｆと後壁３０Ｂとの間に架け渡されるように水平方向に配置された板状の部材である。
【００２９】
図２及び図３に示すように、ドレンパン３０の水収容空間３３において、右側の熱交換器１５と右側の吹出口２５ｂとの間の領域には仕切り部材４１が設けられていないので、この領域の上部は開口している。同様に、ドレンパン３０の水収容空間３３において、左側の熱交換器１５と左側の吹出口２５ｂとの間の領域には仕切り部材４１が設けられていないので、この領域の上部は開口している。
【００３０】
この室内機１１では、図３に示すように、ケース２０の前部から吸い込まれた空気は、送風機１３の半径方向外側に流れ、右方Ｒ又は左方Ｌの熱交換器１５において熱交換された後、ケース２０の両サイドから室内に吹き出される。具体的に、モータ４９によって羽根車５１が回転すると、図３に二点鎖線で示すように、吸込口２５aからケース２０内に吸い込まれた空気は、後方Ｂに向かって羽根車５１に流入し、羽根車５１内を斜め後方に進み、羽根車５１から遠心方向に流出する。そして、この流出した空気は、右側の熱交換器１５又は左側の熱交換器１５を通過して右側の吹出口２５ｂ又は左側の吹出口２５ｂから室内に吹き出される。
【００３１】
送風機１３が遠心送風機又は斜流送風機の場合、羽根車５１から流出した空気の速度は、後方Ｂ寄りの領域を流れる気流の方が大きくなる傾向にある。特に、送風機１３が斜流送風機である場合には、羽根車５１から空気が斜め後方に流出するので、熱交換器１５を通過する気流の速度は、前方Ｆ寄りの気流Ｆ３よりも後方Ｂ寄りの気流Ｆ１の方が大きくなる。すなわち、気流Ｆ１、気流Ｆ２及び気流Ｆ３の速度を比較すると、気流Ｆ１の速度が最も大きく、気流Ｆ３の速度が最も小さい。
【００３２】
＜結露水案内構造＞
図５は、図１における室内機をＶ−Ｖ線の方向に切断したときの断面図であり、結露水案内板９０とドレンパン３０、ケース２０、風向き調節板２及び吸込口２５ｂの位置関係を説明するためのものである。上述したように、結露水案内板９０は、その表面の所望の領域に結露を生じさせ、生じた結露水をドレンパン３０内に導くことによって室内機１１の外に結露水が滴下するのを抑制するためのものである。
【００３３】
図９に示すように結露水案内板９０が設けられていない場合には、低温の気流Ｆによって前側下端壁２９が冷やされるとともに、この前側下端壁２９が室内の高湿の暖気Ｗに晒されることにより、前側下端壁２９の表面において結露Ｃが生じる。また、図９において、最も下に位置する風向き調節板２の方向を例えば上向きに変えるだけでは、この風向き調節板２と前側下端壁２９との間の隙間から依然として気流Ｆが通過するので、前側下端壁２９の表面における結露Ｃは抑制できない。また、例えば、前側下端壁２９における結露箇所より下方の位置に、前側下端壁２９を前後方向に貫通する貫通孔を設けて結露水をドレンパン３０内に導く方法では、ドレンパン３０の容量が小さくなるという不具合が生じる他、前記貫通孔から気流Ｆが抜けてその周辺において結露が生じるという不具合が生じる。
【００３４】
一方、本実施形態では、結露水案内板９０が設けられているので、結露箇所を前側下端壁２９よりも上方に移動させる（冷気と暖気の境界を上方に移動させる）ことができ、しかも前側下端壁２９において生じた結露水Ｃをドレンパン３０内に案内して機外に結露水Ｃが滴下するのを抑制できる。
【００３５】
図２〜図５に示すように、結露水案内板９０は、吹出口２５ｂの下端ＬＤ及びその近傍に対向する位置で、かつ最も下に位置する風向き調節板２の回動動作に干渉しない位置に配置される。結露水案内板９０は、図４に破線で示すように正面視で四角形状を有しており、下縁部９０Ｄ、右側縁部９０Ｒ、左側縁部９０Ｌ及び上縁部９０Ｕを有する。本実施形態では、下縁部９０Ｄ及び上縁部９０Ｕは、水平方向に平行であり、右側縁部９０Ｒ及び左側縁部９０Ｌは、上下方向に平行である。
【００３６】
図５に示すように、本実施形態の結露水案内板９０は、ドレンパン３０の底部３０Ｄから鉛直方向に起立する鉛直部９０ａと、鉛直部９０ａの上端から前方Ｆに傾斜しつつ上方に延びる傾斜部９０ｂとを有する。鉛直部９０ａは、前側下端壁２９にほぼ平行な姿勢で配置されている。
【００３７】
結露水案内板９０に傾斜部９０ｂが設けられていることにより、後述する変形例２（図７参照）に比べて結露水案内板９０の上部をより暖気Ｗに近い位置に配置できる。本実施形態では、傾斜部９０ｂの前縁部９０Ｆは、前側下端壁２９のドレンパン３０の前壁３０Ｆよりも後方Ｂに位置しているが、これに限定されない。
【００３８】
例えば図６に示す変形例１のように、前縁部９０Ｆがドレンパン３０の前壁３０Ｆよりも前方Ｆに配置されて吹出口２５ｂに位置していてもよい。すなわち、前縁部９０Ｆは、吸込口２５ｂ内に配置されていてもよい。この場合には、前側下端壁２９に気流Ｆがより当たりにくくなる。さらに、前縁部９０Ｆは、前側下端壁２９の表面よりも前方Ｆに配置されていてもよい。この場合には、前側下端壁２９の上部の全体が結露水案内板９０によって覆われるので、前側下端壁２９に気流Ｆがさらに当たりにくくなるので、前側下端壁２９において結露が生じるのをさらに抑制できる。図６に示す変形例１では、結露水案内板９０のうち、吹出口２５ｂに対応する部位が吹出口２５ｂ内に入り込むような形状に加工される。
【００３９】
傾斜部９０ｂにおける鉛直方向に対する傾斜角度は、傾斜部９０ｂの上部において生じた結露水が傾斜部９０ｂから落下せずに傾斜部９０ｂの表面をつたって鉛直部９０ａまで流下することができる範囲に調節される。
【００４０】
また、本実施形態では、傾斜部９０ｂが設けられているので、傾斜部９０ｂと最も下に位置する風向き調節板２との間の隙間を通過する気流Ｆの向きが下方に向くのを抑制できる。これにより、その気流Ｆが前側下端壁２９に到達しにくくなるので、前側下端壁２９において結露が生じるのをさらに抑制できる。
【００４１】
結露水案内板９０の上縁部９０Ｕは、吹出口２５ｂの下端ＬＤ（前側下端壁２９の上端）よりも高い位置にある。本実施形態では、結露水案内板９０の上縁部９０Ｕは、吹出口２５ｂの下端ＬＤよりも高く、最も下に位置する風向き調節板２の下端よりも低い位置にある。結露水案内板９０は、少なくとも吹出口２５ｂの下端ＬＤの全域を内側から覆うように設けられている。
【００４２】
結露水案内板９０の下縁部９０Ｄは、ドレンパン３０の水収容空間３３内に位置している。これにより、結露水案内板９０をつたって流下する結露水をドレンパン３０内に収容することができる。結露水案内板９０の下縁部９０Ｄは、この下端部９０Ｄとドレンパン３０の底部３０Ｄとの間の隙間から熱交換器１５を通過後の冷気が抜けないようにするという点では、ドレンパン３０の底部３０Ｄに接しているのが好ましい。ただし、結露水案内板９０の下縁部９０Ｄとドレンパン３０の底部３０Ｄとの間に多少の隙間が設けられていてもよく、この場合、ドレンパン３０内に結露水がある程度溜まった状態になれば結露水によって前記隙間が塞がれる。
【００４３】
右側の結露水案内板９０における右側縁部９０Ｒは、ドレンパン３０の右内側面に当接又は近接しており、左側縁部９０Ｌは、右側の熱交換器１５の側面に当接又は近接している。左側の結露水案内板９０における左側縁部９０Ｌは、ドレンパン３０の左内側面に当接又は近接しており、右側縁部９０Ｒは、左側の熱交換器１５の側面に当接又は近接している。これにより、各結露水案内板９０の両サイドから熱交換器１５を通過後の冷気が抜けるのを抑制できる。ただし、結露水案内板９０は、熱交換器１５の側面及びドレンパン３０の内側面に当接又は近接して配置されている必要はなく、例えばこれらの間に気流の抜けを防止する板状部材などを配置してもよい。
【００４４】
結露水案内板９０を構成する材料としては、例えば前側下端壁２９と同じものを用いることができるが、これに限定されない。例えば、結露水案内板９０の材料としては、金属のような熱伝導率の高い材料（前側下端壁２９よりも熱伝導率の高い材料）を用いることができる。結露水案内板９０の熱伝導率を高くすることで結露（凝縮）を促し、発生する凝縮熱により吹出口２５ｂの下端部の気流の温度が高くなるため、前側下端壁２９の結露をより抑制できるようになる。具体的に、例えば結露水案内板９０の材料として金属を用い、前側下端壁２９の材料として合成樹脂を用いるという組合せが例示できる。
【００４５】
結露水案内板９０の上端９０Ｆの高さは、幅方向（高さ方向及び厚み方向に直交する方向）の全域にわたって同じであってもよいが、これに限定されない。例えば、吹出口２５ｂから吹き出される気流の速度が幅方向において異なる場合には、幅方向の速度分布に合わせて結露水案内板９０の上縁部９０Ｕの高さを異ならせてもよい。具体的に、例えば気流の速度の大きな領域に対応する結露水案内板９０の部位では、速度の小さな領域に対応する結露水案内板９０の部位に比べて上縁部９０の高さを大きくする。また、前述したように、ケース２０内においては気流Ｆ１の速度が気流Ｆ３の速度よりも大きい傾向にあるので、図４に示す右側の吹出口２５ｂでは、ここから吹き出される気流は、外側（図４では右側板２３側）の方が内側（左側板２４側）よりも速度が大きい傾向にある。したがって、結露水案内板９０の上縁部９０Ｕの高さは、気流の速度分布に対応させて右側縁部９０Ｒ側の部位を左側縁部９０Ｌ側の部位よりも大きくするという形態が例示できる。
【００４６】
図７は、結露水案内板９０の変形例２を示す断面図である。図７に示すように、この変形例２では、結露水案内板９０は、傾斜部を有していない平板形状を有し、ドレンパン３０の底部３０Ｄから鉛直方向に延びる姿勢で配置されている。このような結露水案内板９０は、作り勝手が良いというメリットを有する。
【００４７】
図８は、結露水案内板９０の変形例３を示す断面図である。図８に示すように、この変形例３では、結露水案内板９０は、平板形状を有し、ドレンパン３０の底部３０Ｄから前方Ｆに傾斜した姿勢で配置されている。このような結露水案内板９０は、作り勝手が良いというメリットを有することに加え、次のメリットも有する。
【００４８】
すなわち、変形例３では、結露水案内板９０が傾斜した姿勢で配置されているので、変形例２に比べて結露水案内板９０の上部をより暖気Ｗに近い位置に配置できる。また、前側下端壁２９の上部が結露水案内板９０によって覆われた状態にすることも可能になるので、前側下端壁２９において結露が生じるのをさらに抑制できる。結露水案内板９０の鉛直方向に対する傾斜角度は、結露水案内板９０の上部において生じた結露水が結露水案内板９０から落下せずにドレンパン３０内に収容することができる範囲に調節される。
【００４９】
以上説明したように、本実施形態では、上縁部９０Ｕが吹出口２５ｂの下端ＬＤよりも高い位置にある結露水案内板９０が吹出口２５ｂの下端ＬＤに対しケース２０の内側に設けられているので、吹出口２５ｂの下部から吹き出される冷気は、結露水案内板９０の上縁部９０Ｕの近傍を通過する際にこの上縁部９０Ｕを冷却する一方で、吹出口２５ｂの下端ＬＤには直接当たりにくくなる。これにより、吹出口２５ｂの下端ＬＤ及びこの下端ＬＤを区画する壁部２９の表面において結露が生じるのを抑制できる。また、冷気によって冷却された結露水案内板９０の上縁部９０Ｕ付近（結露水案内板９０の上部）では、吹出口２５ｂの近傍の暖気に晒されると結露が生じるが、生じた結露水は、結露水案内板９０の表面をつたって流下し、ドレンパン３０に導かれる。これにより、機外に結露水が滴下するのを効果的に抑制することができる。
【００５０】
また、図５及び図８に示す形態では、結露水案内板９０における少なくとも上部が前方Ｆに傾斜しているので、吹出口２５ｂの下部から吹き出される気流の向きが下方に向くのを抑制できる。これにより、その気流が吹出口２５ｂの下端ＬＤにさらに当たりにくくなる。
【００５１】
また、本実施形態では、結露水案内板９０における両サイドの側縁部９０Ｒ,９０Ｌは、ケース２０の内側面又はケース２０内に設けられた構造部材としての熱交換器１５まで延びているので、結露水案内板９０における両サイドから気流が抜けてその気流が吹出口２５ｂの下端に周り込むのを抑制できる。
【００５２】
＜他の実施形態＞
以上、本発明の実施形態について説明したが、本発明はこれらの実施形態に限定されるものではなく、その趣旨を逸脱しない範囲で種々変更、改良等が可能である。
【００５３】
例えば、前記実施形態では、一対の吹出口２５ｂがケース２０の前部に設けられている場合を例示したが、これに限定されない。吹出口２５ｂは、例えばケース２０の側部に設けられていてもよい。この場合、結露水案内板９０は、ケース２０の側板２３，２４に対向する姿勢で配置される。
【００５４】
前記実施形態では、一対の熱交換器１５が送風機１３の両サイドに設けられている場合を例示したが、これに限定されない。単一の熱交換器が送風機１３の側方に配置されている形態であってもよい。
【００５５】
前記実施形態では、吹出口２５ｂに複数の風向き調節板２が設けられている場合を例示したが、これらの風向き調節板２は必須のものではなく、省略することもできる。また、回動可能な風向き調節板２に代えて向きが固定された風向き板が設けられていてもよい。
【符号の説明】
【００５６】
１１  空気調和機用室内機
１３  送風機
１５  熱交換器
２０  ケース
２１  底板
２２  天板
２３  右側板
２４  左側板
２５  前板
２５a  吸込口
２５ｂ  吹出口
２６  背板
３０  ドレンパン
３１  ドレンパン本体
３２  断熱材
３３  水収容空間
９０  結露水案内板
【図１】
2013139895.tif 000003
【図２】
2013139895.tif 000004
【図３】
2013139895.tif 000005
【図４】
2013139895.tif 000006
【図５】
2013139895.tif 000007
【図６】
2013139895.tif 000008
【図７】
2013139895.tif 000009
【図８】
2013139895.tif 000010
【図９】
2013139895.tif 000011